(57)【要約】  この実施形態では、携帯端末により、自動的に携帯端末とサービスサーバと例えばテレビジョン受信機との関連付けを容易にする。実施形態によれば、エリア検知部は、第１通信エリア内に装置本体が侵入した場合及び外に出た場合に検知出力を得る。ログイン処理部は、前記エリア検知部が前記検知出力を得た場合に、所定のサーバに自動ログインする。通知部は、前記エリア検知部が前記検知出力を得た場合に、該装置本体が該通信エリアの内か外かを所定のサーバに通知する。起動部は、前記サーバと通信可能に設定され、且つ前記第１通信エリア内に設置されている電子機器を操作するためのアプリケーションを起動する。
2016006087.tif 000002
【特許請求の範囲】
【請求項１】
第１通信装置の第１通信エリア内に電子機器が入ったこと、又は前記第１通信エリア外へ前記電子機器が出たことの少なくとも一方を検知可能な検知部と、
前記第１通信エリア内に前記電子機器が入ったこと、又は前記第１通信エリア外へ前記電子機器が出たことの少なくとも一方が検知された場合に、第１サーバに自動的にアクセスする処理部と、
前記第１通信エリア内に設置されており、前記第１サーバを介してアクセス可能な他の第１電子機器を操作するためのアプリケーションを起動する起動部と、
を備える制御装置。
【請求項２】
前記第１通信エリアは、前記第１通信装置と通信可能な範囲内であるか、前記第１通信装置からの無線信号より測定される送信元から第１距離の範囲内のどちらかである請求項１に記載の制御装置。
【請求項３】
前記処理部は、前記第１通信エリア内に、前記他の第１電子機器が存在する場合に、前記第１サーバに自動的にアクセスし、
前記第１通信エリア内に、他の第２電子機器が存在する場合に、前記第１サーバとは異なる第２サーバに自動的にアクセスする請求項１に記載の制御装置。
【請求項４】
前記第１通信エリア内に該電子機器本体が侵入したことを、エリア検知部が検知したときに起動される前記アプリケーションは、前記他の電子機器の電源のオンと、電源オン状態での各種動作を指令するアプリケーションである請求項１記載の制御装置。
【請求項５】
前記第１通信エリアの外に該電子機器本体が出たことを、エリア検知部が検知したとき起動されるアプリケーションは、サーバを介して、前記電子機器の電源のオフ、または、出力の調整を指令することが出来るアプリケーションである請求項１記載の制御装置。
【請求項６】
前記処理部は、前記第１通信エリア内に前記電子機器が入ったこと、又は前記第１通信エリア外へ前記電子機器が出たことの少なくとも一方が検知された場合に、前記第１サーバに自動的にログインするものであって、
前記第１通信エリア内に存在する他の制御装置がサーバにログインしているか否かに応じて異なる処理を実行する請求項１記載の制御装置。
【請求項７】
前記第１通信エリア内に該電子機器本体が侵入した場合及び前記第１通信エリアから該電子機器本体が外に出た場合に、該電子機器本体の状態をメッセージで表示する表示処理部をさらに有する請求項１記載の制御装置。
【請求項８】
電子機器の制御部の動作において、
第１通信装置の第１通信エリア内に電子機器が入ったこと、又は前記第１通信エリア外へ前記電子機器が出たことの少なくとも一方を検知し、
前記第１通信エリア内に前記電子機器が入ったこと、又は前記第１通信エリア外へ前記電子機器が出たことの少なくとも一方が検知された場合に、第１サーバに自動的にアクセスし、
前記第１通信エリア内に設置されており、前記第１サーバを介してアクセス可能な他の第１電子機器を操作するためのアプリケーションを起動する、
を方法。
【請求項９】
前記第１通信エリア内に、前記他の第１電子機器が存在する場合に、前記第１サーバに自動的にアクセスし、
前記第１通信エリア内に、他の第２電子機器が存在する場合に、前記第１サーバとは異なる第２サーバに自動的にアクセスする請求項８に記載の方法。
【請求項１０】
前記第１通信エリア内に前記電子機器が入ったこと、又は前記第１通信エリア外へ前記電子機器が出たことの少なくとも一方が検知された場合に、前記第１サーバに自動的にログインするものであって、
前記第１通信エリア内に存在する他の制御装置がサーバにログインしているか否かに応じて異なる処理を実行する請求項８記載の方法。
【請求項１１】
前記通信エリア内に該電子機器本体が侵入した場合及び前記第１通信エリアから該電子機器本体が外に出た場合に、該電子機器本体の状態をメッセージで表示する請求項８記載の制御方法。
【請求項１２】
電子機器の制御部におけるコンピュータを動作させるためのプログラムであって、
第１通信装置の第１通信エリア内に電子機器が入ったこと、又は前記第１通信エリア外へ前記電子機器が出たことの少なくとも一方を検知する命令と、
前記第１通信エリア内に前記電子機器が入ったこと、又は前記第１通信エリア外へ前記電子機器が出たことの少なくとも一方が検知された場合に、第１サーバに自動的にアクセスする命令と、
前記第１通信エリア内に設置されており、前記第１サーバを介してアクセス可能な他の第１電子機器を操作するためのアプリケーションを起動する命令と、
を備えるプログラム。
【請求項１３】
前記第１通信エリア内に、前記他の第１電子機器が存在する場合に、前記第１サーバに自動的にアクセスする命令と、
前記第１通信エリア内に、他の第２電子機器が存在する場合に、前記第１サーバとは異なる第２サーバに自動的にアクセスする命令を備える請求項１２に記載のプログラム。
【請求項１４】
前記第１通信エリア内に前記電子機器が入ったこと、又は前記第１通信エリア外へ前記電子機器が出たことの少なくとも一方が検知された場合に、前記第１サーバに自動的にログインする命令であって、
前記第１通信エリア内に存在する他の制御装置がサーバにログインしているか否かに応じて異なる処理を実行する命令を備える、請求項１２記載のプログラム。
【請求項１５】
前記通信エリア内に該電子機器本体が侵入した場合及び前記第１通信エリアから該電子機器本体が外に出た場合に、該電子機器本体の状態をメッセージで表示する請求項１２記載のプログラム。
【発明の詳細な説明】
【技術分野】
【０００１】
この実施形態は無線通信装置を用いた電子機器の制御装置及び方法及びプログラムに関する。
【背景技術】
【０００２】
最近では、テレビジョン受信機、パーソナルコンピュータなどの電子機器は、インターネットを介して、外部のサービスサーバと接続可能である。ユーザは、例えばテレビジョン受信機をリモートコントローラにより操作し、サービスサーバにログインすることで、サービスサーバからテレビジョン受信機にデータが伝送されるようになる。これにより、ユーザは、様々な情報提供を受けることができる。
【先行技術文献】
【特許文献】
【０００３】
【特許文献１】特開２００５−２０２５３６号公報
【特許文献２】特開２００５−２４２８７７号公報
【特許文献３】特開２００８−２１１５１５号公報
【発明の概要】
【発明が解決しようとする課題】
【０００４】
ところで、テレビジョン受信機を利用して、ユーザが、サービスサーバから様々な情報の提供を受けようとした場合、ユーザはリモートコントローラを操作してログイン操作をする必要がある。しかしながら、この操作は、テレビジョン受信機にて放送番組を視聴するときの通常の導入時に比べて、ユーザにとって、煩わしい導入作業であり、その改善が要望されている。【０００５】
一方では、携帯端末の普及により、携帯端末とサーバとの通信技術も各種の技術が開発されている。例えば、サーバが、携帯端末に対してアカウントを割り当てるシステムや、携帯端末において認証情報の入力作業を省略してポータルサーバに対して自動ログイン処理を実行するシステムなどである。【０００６】
そこで、この実施形態では、ユーザがリモートコントローラによる複雑な操作をしなくても、携帯端末により、自動的に携帯端末とサービスサーバと電子機器（例えばテレビジョン受信機）との関連付けを容易に実施することができる、制御装置及び方法及びプログラムを提供することを目的とする。
【課題を解決するための手段】
【０００７】
実施形態によれば、第１通信装置の第１通信エリア内に電子機器が入ったこと、又は前記第１通信エリア外へ前記電子機器が出たことの少なくとも一方を検知可能な検知部と、
前記第１通信エリア内に前記電子機器が入ったこと、又は前記第１通信エリア外へ前記電子機器が出たことの少なくとも一方が検知された場合に、第１サーバに自動的にアクセスする処理部と、
前記第１通信エリア内に設置されており、前記第１サーバを介してアクセス可能な他の第１電子機器を操作するためのアプリケーションを起動する起動部と、
を備える。
【図面の簡単な説明】
【０００８】
【図１】実施形態が適用されたシステム構成の一例を示す図である。
【図２】実施形態が適用された携帯端末の構成例を示す図である。
【図３】実施形態が適用されたテレビジョン受信機の構成例を示す図である。
【図４】携帯端末の画面において表示される案内画像の例を示す図である。
【図５】携帯端末の画面において表示される案内画像の他の例を示す図である。
【図６】携帯端末の画面において表示される案内画像の他の例を示す図である。
【図７】携帯端末の画面において表示される案内画像のさらに他の例を示す図である。
【図８】サーバ内の一部ブロック構成を示す図である。
【発明を実施するための形態】
【０００９】
以下、実施の形態について図面を参照して説明する。図１は、実施形態が適用されたシステム構成の一例を示す図である。
【００１０】
１００は、ローカルエリアネットワーク（或いはホームネットワークと称しても良い）により形成された通信エリアである。この通信エリア１００は、有線或いは無線アクセスポイント（近距離無線通信システム,例えばIEEE 802.11 (Wi-Fi), IEEE 802.16 (WiMAX)など）２００を用いて形成されている。
【００１１】
この通信エリア１００内では、例えば複数のテレビジョン受信機ＴＶＡ，ＴＶＢ, ＴＶＣが、ネットワークに接続されている。そしてテレビジョン受信機ＴＶＡ，ＴＶＢ, ＴＶＣは、アクセスポイント２００、インターネット３００を介して、それぞれ所定のサービスを行うサーバ４００と相互通信を行うことができる。また携帯端末７００も、アクセスポイント２００、インターネット３００を介して、サーバ４００と相互通信を行うことができる。なお、ネットワークに有線或いは無線接続される電子機器は、テレビジョン受信機に限らず、記録再生装置、室内空調機（エアコンディショナー）、冷蔵庫、など家庭内の電気機器のいずれでもよい。
【００１２】
携帯端末７００、サーバ４００、テレビジョン受信機ＴＶＡ，ＴＶＢ,ＴＶＣの関係について説明する。上記したシステムにおいて、携帯端末７００は、ユーザ操作に基づいてサーバ４００から専用アプリケーションをダウンロードすることができる（ステップＳ１）。このとき、携帯端末７００は、例えばＱＲ（登録商標）コード（２次元コードと称しても良い）を読み取ることにより、容易にサーバ４００をアクセスすることができる。ＱＲ（登録商標）コードは、ＵＲＬによるアドレスを含む。携帯端末７００には、専用アプリケーションがインストールされることができる。
【００１３】
なお携帯端末７００は、スマートフォーン、パーソナルアシスタントディスプレー（ＰＤＡ），タブレットパーソナルコンピュータなどの携帯端末のいずれでもよい。
【００１４】
専用アプリケーションが起動されたとき、携帯端末７００は、ホームネットワーク１００Ａに接続されている電子機器を検索することができる。検索された電子機器は、携帯端末７００の機器リスト画面に表示される。ユーザは、機器リスト画面を見て、携帯端末７００と関連付けをしたい電子機器（例えばテレビジョン受信機、記録再生装置）を選択して、携帯端末７００のメモリに登録することができる。
【００１５】
携帯端末７００は、関連付けた電子機器の登録が完了すると、サーバ４００に対して機器情報（携帯端末自身のＩＤ並びにネットワーク１００に接続されており、かつユーザが指定したテレビジョン受信機などのＩＤ）をサーバ４００に送信する（ステップＳ２）。これにより、サーバ４００では、専用アプリケーションと機器情報とがリンクしたテーブルが生成される。
【００１６】
これにより、専用アプリケーション基づいて動作する携帯端末７００は、少なくとも次のような機能ブロックを実現することができる。
【００１７】
(a)携帯端末７００が所定の通信エリア１００内に侵入した場合と、前記所定の通信エリア１００から外に出た場合に検知出力を得る（エリア検知部）、
(b)前記エリア検知部が前記検知出力を得た場合に、所定のサーバ４００に自動ログインしアクセスする（アクセス処理部又はログイン処理部）、
(c)前記エリア検知部が前記検知出力を得た場合に、該通信エリア１００の内か該通信エリア１００の外に当該携帯端末７００が所属（又は在席）するかをサーバ４００に通知することができる（通知処理部）、
(d)前記サーバ４００と通信可能に設定され、且つ前記所定の通信エリア１００内に設置されている電子機器（例えばＴＶＡ）を操作するためのアプリケーションを起動することができる（起動部）。前記サーバ４００は、前記通知に基づいて動作すし、ＴＶＡをアクセスすることができる。
【００１８】
上記したように、携帯端末７００は、通信エリア１００内でネットワークに接続されているテレビジョン受信機ＴＶＡ，ＴＶＢ,ＴＶＣを検出し、ユーザ操作に応じて指定されたテレビジョン受信機を被制御電子機器として、内蔵メモリに登録することができる。携帯端末７００は、被制御電子機器をメモリに登録した場合、専用アプリケーションの識別情報、及び登録情報、自己の機器ＩＤをサーバ４００に送信することができる。
【００１９】
また、携帯端末７００は、専用アプリケーションに基づいて、通信エリア１００に侵入した場合（通信エリア圏内）を検知することができ、また携帯端末７００は、通信エリア１００から出た場合も通信エリア１００の外（通信エリア圏外、つまり他の通信エリアの圏内）であることを検知することができる。
【００２０】
携帯端末７００は、検知出力があった場合、アクセスポイント２００を介してサーバ４００に検知情報を通知することができる。このときは、携帯端末７００は、サーバ４００に自動的にログインしアクセスが可能となる。
【００２１】
一方、サーバ４００は、検知情報を受信した場合、携帯端末７００に登録されているテレビジョン受信機（例えばＴＶＡ）に対して、指令を与えることができる。例えばテレビジョン受信機ＴＶＡが、電源オフの状態であった場合、指令により、例えば補助電源をオンし、スタンバイ状態にすることができる。このときもテレビジョン受信機ＴＶＡは、自動的にサーバ４００に自動ログインしたことになる。
【００２２】
また、サーバ４００にログインした携帯端末７００は、その操作画面に、テレビジョン受信機ＴＶを操作するための操作画面（電源のオンオフボタン、チャンネル切替えボタン、その他メニューボタンなど）を表示することができる。ここで、ユーザが、電源のオンオフボタンを操作した場合、テレビジョン受信機ＴＶＡは、操作信号に応答して、電源オン状態に移行することができる。
【００２３】
なお携帯端末７００からテレビジョン受信機ＴＶＡに指令を送信する経路は、アクセスポイント２００及びホームネットワーク１００Ａを介して送信する経路、或いは携帯端末７００から直接テレビジョン受信機ＴＶＡの無線送受信部に送信する経路のいずれであってもよい。
【００２４】
上記テレビジョン受信機がオンした場合、携帯端末７００の前記専用アプリケーションは、テレビジョン受信機の操作画面を提示することができる。ユーザは、操作画面を参照して、携帯端末７００の操作を通じて、テレビジョン受信機を操作することができる。
【００２５】
また携帯端末７００において、エリア検知部が前記所定の通信エリア内に侵入したことを検知した場合に、前記専用アプリケーションは、前記テレビジョン受信機の電源のオンと、電源オン状態での各種動作を指令することができる。
【００２６】
またエリア検知部により、携帯端末７００が所定の通信エリア１００から外に出たことが検知された場合に、専用アプリケーションの制御に基づいて携帯端末７００は、前記電子機器の電源のオフ、または、出力低下を指令することも可能である。
【００２７】
さらにまたログイン処理部７４２は、通信エリア１００内に他の制御装置（他の携帯端末）がサーバ４００にログインしているか否かに応じてログインタイプを変更できる複数のログインタイプを備える。
【００２８】
なお上記の説明では、被制御電子機器はテレビジョン受信機であるとして説明したが、これに限るものではない。
【００２９】
最近、例えば、家庭内の電子機器をホームネットワーク１００Ａに接続し、制御を行うことができる、例えばＥＣＨＯＮＥＴ  Ｌｉｔｅ（エコーネットライト）の規格がある。アクセスポイントと、上記ホームネットワークとを介して、携帯端末７００により、家庭内の電子機器を制御することが行われてもよい。
【００３０】
上記の説明で、「サーバ４００にログインした携帯端末７００は、その操作画面に、テレビジョン受信機ＴＶを操作するための操作画面（電源のオンオフボタン、チャンネル切替えボタン、その他メニューボタンなど）を表示することができる」、ことを説明した。
【００３１】
ここで、ユーザがテレビジョン受信機により放送番組などの視聴を希望しない場合もある。このような場合は、ユーザは、携帯端末７００の表示画面に表示されている、例えば「キャンセル」ボタンを操作することができる。これにより、携帯端末７００は、テレビジョン受信機の操作モードが解除される。このとき携帯端末７００は、サーバ４００との関連がログアウトされてもよい。
【００３２】
図２は、本実施形態に関わる携帯端末の構成例を示すブロック図である。携帯端末７００は、メニュー画像、受信系統から取り込んだ画像（静止画、動画など）、またカメラ７１５から読み取った画像などを選択的にタッチパネル一体型表示部７２０に表示することができる。またユーザは、タッチパネル一体型表示部７２０の画面に表示された操作ボタンに触れることにより、各種の操作を行うことができる。
【００３３】
送受信機７１２は、アンテナ７１１を介して、外部に信号を送信することができ、また外部から信号を受信することができる。送受信機７１２を介して送信されるデータは、送受信データ処理部７１３にて用意され、ヘッダ、ペイロードなどを含むパケット列に変換される。また送受信機７１２で取得された受信データは、送受信データ処理部７１３にてパケットのヘッダ、ペイロードなどが解析される。解析の結果得られた制御データはシステム制御部７３１に伝送され、コンテンツデータは、データ処理部７１４に伝送される。
【００３４】
データ処理部７１４は、画像データ処理部、オーディオデータ処理部などを有し、復号された映像データは、表示部７２０に送られて表示され、復号されたオーディオデータは、スピーカ７１６（イヤホーンであっても良い）に送られて音として出力される。
【００３５】
７１５はカメラであり、カメラ７１５で取得された動画或いは静止画データは、データ処理部７１４にてデジタル圧縮処理される。また動画或いは静止画データは、表示データとして加工され、表示部７２０で表示されることもできる。デジタル圧縮された画像データは、メモリ７６０に格納されることができる。またデジタル圧縮された画像データは、送受信データ処理部７１３において、送信ストリームのパケットにより搬送され、送受信機７１２、アンテナ７１１を介して外部の送信先に送信されることができる。
【００３６】
システム制御部７３１は、電子機器制御器７４０、電話制御器７５１、オーディオ処理制御器７５２、画像処理制御器７５３、操作画面処理器７５４、通信制御部などを含む。図面ではシステム制御部７３１内をブロック化して示しているが、複数のアプリケーションに基づき複数のデジタルシグナルプロセッサ（ＤＳＰ）が組み合わせられ、各機能ブロックが実現されている。バッテリ７７０は、高速充電が可能な二次電池であり、携帯端末７００を駆動する。
【００３７】
電話制御器７５１は、携帯端末７００を携帯電話として動作させるためのブロックである。オーディオ処理制御器７５２は音声の入出力に関する処理、オーディオコンテンツに対する処理を実行する。画像処理制御器７５３は、映像データの入出力に関する処理、映像コンテンツに対する処理を実行する。
【００３８】
ここで電子機器制御器７４０は、先に説明した専用アプリケーションが起動されたときにメインとなって動作する。専用アプリケーションは、メモリ７６０に格納されている。なおこのメモリ７６０は、例えば不揮発性メモリであり他の各種のデータを保存され、また保存データを消去されることもできる。
【００３９】
電子機器制御器７４０は、専用アプリケーションに基づいて動作するもので、エリア検知部７４１、ログイン処理部７４２、通知部７４３、起動部７４５、登録部７４６、他の端末検知部７４７などを含む。
【００４０】
エリア検知部７４１は、所定の通信エリア１００の圏内に携帯端末７００が侵入した場合、及び前記所定の通信エリア１００の圏外に携帯端末７００が出た場合に検知出力を得る。ログイン処理部７４２は、エリア検知部７４１が検知出力を得た場合に、所定のサーバへのログインを自動的に実行する。通知部７４３は、エリア検知部７４１が前記検知出力を得た場合に、該通信エリア１００内に携帯端末７００が所属（又は在席）するか、或いは該通信エリア１００の外に携帯端末７００が所属（又は在席）するか、を所定のサーバ４００に通知する。
【００４１】
起動部７４５は、アプリケーションを起動するものであり、サーバ４００と通信可能に設定され、且つ前記所定の通信エリア１００内に設置されている電子機器（例えば登録されたＴＶＡ）を操作するためのアプリケーションを起動することができる。
【００４２】
他の端末検知部７４７は、通信エリア１００の圏内に、例えばＴＶＡを操作可能な他の携帯端末が存在するか否かを検知することができる。そして、他の携帯端末が存在するか否かを検知し、その結果をログイン処理部７４２に、通知することができる。
【００４３】
ここで、携帯端末７００がサーバ４００に自動ログインした場合、サーバ４００は、先に説明したようにもしテレビジョン受信機ＴＶＡが電源オフの状態であるならば、指令により、ＴＶＡの補助電源をオンし、ＴＶＡをスタンバイ状態にすることができる。また携帯端末７００において、起動部７４５は、前記所定の通信エリア１００内に設置されているＴＶＡを操作するためのアプリケーションを起動することができる。
【００４４】
状態管理部７４８は、携帯端末７００が例えばテレビジョン受信機ＴＶＡを操作した場合、その操作履歴と、少なくとも最後に操作したときの機器の状態データを格納する。この最終の状態データにより、携帯端末７００は、テレビジョン受信機ＴＶＡの現在の動作状態がどのような状態であるかを把握することができる。状態としては、電源のオン、オフ、受信チャンネル、録画中、再生中などの状態である。
【００４５】
また状態管理部７４８は、通信エリア１００内の電子機器の現在の状態を表示することができる。例えばテレビジョン受信機ＴＶＡの状態が、電源のオン、オフ、受信チャンネルがどのチャンネル、録画中、再生中であるかなどの状態である。
【００４６】
今、携帯端末７００を所有するユーザが、テレビジョン受信機ＴＶＡの電源をオフすることを忘れて、外出したとする。そして携帯端末７００が、通信エリア１００の圏外に移動したとする。するとエリア検知部７４１は、携帯端末７００が圏外に移動したことを検知し、通知部７４３は、サーバ４００に携帯端末７００が通信エリア１００の圏外に移動したことを通知する。またエリア検知部７４１は、携帯端末７００が圏外にあることを検知したことを状態管理部７４８にも通知する。
【００４７】
すると、状態管理部７４８は、通信エリア１００内の電子機器の現在の状態をチェックすることができる。例えばテレビジョン受信機ＴＶＡの状態が、電源のオン、オフ、受信チャンネル、録画中、再生中などのいずれの状態にあるかをチェックすることができる。もし、テレビジョン受信機ＴＶＡの状態が、電源オンであれば、ユーザはテレビジョン受信機ＴＶＡの電源をオフにする操作を望む場合がある。
【００４８】
そのために、携帯端末７００は、専用アプリケーションの制御に基づいて、メニュー画面において、「機器状態表示ボタン」を表示することができる。また「機器状態表示ボタン」に対して警告のための点滅表示を実施することができる。ユーザが「機器状態表示ボタン」を選択してタッチ操作すると、電源がオン状態の例えば機器名と電源オフボタンが表示される。このときユーザは、機器名をタッチ操作し、電源オフボタンにタッチすることができる。これにより、ユーザは、通信エリア１００の外から、通信エリア内の電子機器（今の例は、テレビジョン受信機ＴＶＡ）の電源オフ操作を行うことができる。
【００４９】
しかし、このときの電源オフ操作が許されるのは、携帯端末７００がシングルログイン状態にあるときのみである。通信エリア１００内に他の携帯端末が存在し、他の携帯端末がログインしているときは、携帯端末７００による前記電源オフ操作は制限を受ける。
【００５０】
上記の制限を行う機能について以下説明する。
【００５１】
ログイン処理部７４２は、シングルログインモード（第１ログインモードと称しても良い）と、複数ログインモード（第２ログインモードと称しても良い）に自動的に移行する機能を有する。
【００５２】
シングルログインモードとは、通信エリア１００の圏内に、登録されているテレビジョン受信機ＴＶＡを操作可能な端末として、携帯端末７００のみが所属（又は在席）する場合のログインモードである。さらにまた通信エリア１００の圏内に、他の携帯端末が存在しない場合のログインモードである。
【００５３】
シングルログインモードにおいては、携帯端末７００は、テレビジョン受信機ＴＶＡの電源のオン、オフを自由に行うことが許されている。ただし、テレビジョン受信機ＴＶＡに接続されている記録装置がタイマー動作しているときは、携帯端末７００は警告表示を行うことができる。さらにまた、他のユーザの他の携帯端末（第１の他の携帯端末、及び又は第２の他の携帯端末）が通信エリア１００の圏内に所属（又は在席）した場合は、携帯端末７００及び他の携帯端末は、それぞれ複数ログインモード（第２ログインモード）に移行する。
【００５４】
複数ログインモードとは、電子機器の操作に対して、制限が与えられる、或いは警告が表示される、などのログインモードである。
【００５５】
上記のように、第１と第２のログインモードが設定された理由は、以下の通りである。例えば、他の携帯端末の所有者がテレビジョン受信機ＴＶＡを視聴しているにも関わらず、携帯端末７００の所有者が、外出することを理由に、テレビジョン受信機ＴＶＡの電源をオフする操作を行う場合がある。しかし、これで実際にテレビジョン受信機ＴＶＡの電源がオフされると、他の携帯端末の所有者が迷惑を被ることになる。そこで、このような場合は、携帯端末７００と他の携帯端末とが、自動的に複数ログインモードに移行する。
【００５６】
複数ログインモードに移行するために、携帯端末７００において、他の端末検知部７４７が、通信エリア１００内に他の携帯端末が存在するか否かを、定期的に検知している。この検知方法は、各種の方法が可能である。簡単な方法は、サーバ４００から、通信エリア１００圏内の携帯端末管理データを受け取り、この携帯端末管理データを用いて検出する方法である。さらには、携帯端末７００が、独自に、例えば他の携帯端末が送出しているビーコン電波を受信する方法がある（しかしこの方法は、同じ通信エリア１００内に携帯端末７００及び他の携帯端末が在席する場合に有効である）。
【００５７】
他の携帯端末が通信エリア１００の圏内に在席し、携帯端末７００が、ユーザが外出したために、他の通信エリアに在席する場合もある。このような場合は、携帯端末７００のユーザが、サーバ４００を通じて、通信エリア１００圏内の電子機器を操作することができる。
【００５８】
図３は、図１に示したテレビジョン受信装置の構成例である。例えばＴＶＡを代表して説明する。テレビジョン受信機ＴＶＡは、例えばスクランブルされたデジタル地上波放送信号を受信する複数のチューナを含むデジタルチューナ装置５５０２を有する。デジタルチューナ装置５５０２は例えばＢＳ／ＣＳデジタル放送受信用のチューナ（図示せず）を含んでも良い。
【００５９】
チューナ装置５５０２で受信された放送番組の信号は、ＴＳ処理部５５２２に入力され、各チャンネルのトランスポートストリム（Ｔｒａｎｓｐｏｒｔ Ｓｔｒｅａｍ：ＴＳ）が処理される。ＴＳ処理部５５２２において、複数のチャンネル（ＣＨ）のＴＳが１つのＴＳに再多重される。多重ＴＳは各チャンネルの放送番組のパケット列を含む。各チャンネルのパケットには、チャンネル及びパケット識別用の識別情報が付加されている。
【００６０】
多重ＴＳは、記憶装置（ストレージ）５５１１に入力される。またＴＳ処理部５５２２に入力したＴＳの中で、制御情報を含むパケットは、制御部５６００に入力されて処理される。
【００６１】
記憶装置５５１１は、例えば、ハードディスクドライバー、光ディスク記録再生装置を含む。光ディスクにはデジタルバーサタイルディスク（ＤＶＤ），ブルーレイ（登録商標）ディスク（ＢＤ）、大容量半導体デバイスなどが含まれる。
【００６２】
ＴＳ処理部５５２２から制御部５６００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、さらにＥＰＧ（Electric Program Guide：電子番組ガイド）情報を含む。
【００６３】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００６４】
ＴＳ処理部５５２２で分離されたパケットの中でオーディオデータを含むパケットは、オーディオデコーダ５５２３に入力され、符号化方式に応じた復号化が実施される。オーディオデコーダ５５２３でデコードされたオーディオデータは、オーディオデータ処理部５５２４で同期処理、音量調整などを施され、オーディオ出力部５５２５に供給される。オーディオ出力部５５２５は、スピーカシステムに応じたステレオ分離処理などを実行し、出力をスピーカ５５２６に供給する。
【００６５】
ＴＳ処理部５５２２で分離されたパケットの中で映像データを含むパケットは、映像デコーダ５５３１に入力され、映像デコーダ５５３１では、符号化方式に応じた復号化が実施される。映像デコーダ５５３１でデコードされた映像データは、映像データ処理部５５３２で、同期処理、輝度調整、色調整などが施される。映像データ処理部５５３２の出力は、映像出力部５５３３に供給される。映像出力部５５３３は、制御部５６００からのデータ、図形、番組表などをメイン映像信号に多重することができる。また映像出力部５５３３は、出力映像信号に対して表示器５５３４に応じたスケール、解像度、ライン数、アスペクト比などを設定して、表示器５５３４に向けて出力する。
【００６６】
なお、有料番組のオーディオパケット、映像パケットが暗号化されている場合もある。この場合、鍵情報を用いて暗号化を解くための処理系統もあるがここでは省略している。
【００６７】
制御部５６００は、中央演算処理ユニット（ＣＰＵ）５６０１、操作コマンド処理部５６０２、通信制御部５６０３、操作デバイス管理部５６０４、表示処理部５６１１、メモリ５６１２を含む。さらにＥＰＧ(Electric program guide)データ処理部、記録制御部、などを含むがここでは示していない。
【００６８】
ＣＰＵ５６０１は、制御部５６００の全体の動作シーケンスの調整を行っている。操作コマンド処理部５６０２は、外部から入力する操作コマンドを解析し、コマンドに応じた動作をテレビジョン受信機５００に反映させることができる。
【００６９】
操作コマンド処理部５６０２は、携帯端末７００からの操作コマンド、サーバ４００からの操作コマンド、リモートコントローラからの操作コマンドを受け取ることができる。操作コマンドに基づく動作は、例えば電源のオンオフ、タイマーの設定、録画予約、節電動作などである。
【００７０】
操作デバイス管理部５６０４は、制御部５６００に対して操作信号を与える携帯端末７００、リモートコントローラなどのデバイス識別データを把握し、管理することができる。
【００７１】
表示処理部６５１１は、映像出力部５５３３を介して表示器５５３４に表示される映像信号を全般的に制御することができる。また表示処理部５６１１は、画像信号の解像度、表示サイズ、表示エリアなどの調整処理を行うこともできる。また、ＥＰＧデータを用いて作成した番組表の映像信号や、操作信号に応じて制御部５６００内で作成されたメニュー映像信号などを映像出力部５５３３に供給することができる。
【００７２】
メモリ５６１２は、制御部５６００内で保存する各種のデータ、アプリケーションなどを保存することができる。このメモリ５６１２は、テレビジョン受信機５００において、後で説明する表示用のメッセージデータのデータ保存箇所としてもまた利用されることができる。
【００７３】
またメモリ５６１３は、不揮発性メモリも含み、２次元コードを作成するのに必要なアドレスデータ、及び機器固有情報（ＴＶ固有ＩＤ）を格納している。
【００７４】
メモリ５６１３に格納されているアドレスデータ、及び機器固有情報は、表示処理部５６１１に読み取られて、２次元コードの画面を得るために使用される。表示処理部５６１１で作成された２次元コードの画面は映像出力部５５３を介して表示器５５３４に表示される。この２次元コードは、携帯端末７００がサーバをアクセスする際にアドレスとして利用されることができる。
【００７５】
通信制御部５６０３は、外部との通信を行い、操作コマンド、データ、コンテンツ、などを取り込むことができる。取り込まれたコンテンツ、及びデータは、例えば記憶装置５５１１、或いはメモリ５６１２に格納されることができる。通信制御部５６０３は、テレビジョン受信機５００から外部に向けて、データ、コンテンツ、などを送信することができる。
【００７６】
また、通信制御部５６０３は、無線通信送受信部（通信器と称しても良い）５５１３、有線通信送受信部５５１２と接続されている。有線通信送受信部（通信器と称しても良い）５５１２は、インターネット３００を介して、遠隔サーバ、或いはホームサーバとの間でデータの送受信を行うことができる。
【００７７】
また無線通信送受信部５５１３も、携帯端末７００との間でアクセスポイント２００を介してデータの送受信を行うことができる。さらにまた、無線通信送受信部５５１３は、アクセスポイント２００を介して、インターネット接続することも可能である。したがって、テレビジョン受信機ＴＶＡは、図１で説明したように、サーバ４００からインターネットを介して各種の指令、コンテンツなどを受け取ることも可能である。
【００７８】
テレビジョン受信機ＴＶＡは、リモートコントローラからの操作信号を、赤外線受信部５５１４を介して受け取ることもできる。
【００７９】
携帯端末７００は、テレビジョン受信機５００をリモートコントロールすることができる。携帯端末７００は、基地局、インターネットなどを介してサーバをアクセスすることができる。サーバが提供するコンテンツは勿論のこと、各種のアプリケーション、ゲームソフトなどをダウンロードし、無線通信送受信部５５１３を介して、制御部５６００に転送することが可能である。
【００８０】
また携帯端末７００は、コンテンツを取得するための情報（例えばウェブサーバのアドレス、メールアドレス、ネットワークアドレスなど）を、無線通信送受信部５５１３を介して、制御部５６００に転送することが可能である。
【００８１】
携帯端末７００からコンテンツ、アプリケーション、或いはゲームソフトが転送されてくるときは、制御部５６００の通信制御部５６０３が動作する。通信制御部５６０３は、受け取ったコンテンツをメモリ５６１２に格納する。コンテンツは、操作コマンドに応じて、或いは自動的に記憶装置５５１１に格納されてもよい。記憶装置５５１１は、受け取ったコンテンツを例えばハードディスクに記録させることができる。ハードディスクにおいては、コンテンツはコンテンツファイルとして管理される。
【００８２】
表示用のメニュー映像信号、番組表映像信号などは、表示処理部５６１１に格納及びまたは管理されている。メニューの表示、番組表の表示が行われるときは、メニュー画面データ、番組表映像信号が、表示処理部６５１１の制御に基づき、データ格納部（メモリ或いはハードディスク）から読み出され、映像出力部５５３３に供給される。これにより、メニュー画面や番組表画面が表示器５５３４に表示される。
【００８３】
表示用のメニュー映像信号、番組表映像信号などは、携帯端末７００に送信されることもできる。携帯端末７００がメニュー映像信号、番組表映像信号など要求した場合、表示処理部５６１１は、メニュー映像信号、番組表映像信号を携帯端末７００へ送信することができる。
【００８４】
携帯端末７００は、メニュー映像信号、番組表映像信号をタッチ式パネルの画面に表示することができ、ユーザは、タッチ（或いはポイント）式パネルの画面に表示された操作ボタンに触れることにより、テレビジョン受信装置に動作指令信号を与えることができる。
【００８５】
図４は、携帯端末７００が、専用アプリケーションをダウンロードするときに表示されるメッセージの例を示している。ユーザが、携帯端末７００のメニューから専用アプリケーションのダウンロードという項目を選択すると、例えば「ホームネットワーク接続機器の専用アプリケーションをダウンロードできます。ダウンロードボタンを押してください。不要の場合はキャンセルボタンを押してください。」のようなメッセージが表示される（ガイド画面４ａ）。ユーザがダウンロードボタンを押して、ダウンロードが完了すると、「専用アプリケーションのダウンロードが終了しました。ホームネットワークに接続されている機器のサーチを開始します。」のようなメッセージが表示される（ガイド画面４ｂ）。
【００８６】
機器のサーチが終了すると、「以下のホームネットワーク接続機器が見つかりました。貴方が使用し、操作する機器を選択してください。」のメッセージが表示される。また機器接続状態を示す系統図が表示される（ガイド画面４ｃ）。図の例では、ＴＶＡ，ＴＶＢ、ＴＶＣ、レコーダＡのアイコンが表示されている。今ユーザがＴＶＡのアイコンにタッチし、決定ボタンを押すと、「貴方が使用する機器を登録します。」のメッセージが表示される（ガイド画面４ｄ）。そして、ＴＶＡのみが接続された系統図が表示される。次に、「サーバに登録機器を通知します。」のメッセージが表示される（ガイド画面４ｅ）。
【００８７】
上記したように、図１において説明した機器登録動作が、メッセージとともに実施され、ユーザの操作を容易にしている。
【００８８】
図５は、専用アプリケーションがインストールされた携帯端末７００の動作例を示す。今、ユーザが外出先から帰宅し、携帯端末７００が通信エリア１００内に在席した例を示している。通信エリア１００内に携帯端末７００が進入すると、「ホームネットワークの通信エリア内に在席します。以下の電子機器を操作可能です。」のメッセージが表示され、また操作可能な例えばＴＶＡの系統図が表示される（ガイド画面５ａ）。「操作する」のボタンをユーザが押すと、携帯端末７００は、ガイド画面５ｂに示すように、テレビジョン受信機ＴＶＡを操作するのに必要な各種操作ボタンを表示する。操作ボタンとしては、例えばチャンネル操作、メニュー表示モードに移行するためのボタン、録画予約モードに移行するためのボタン、録画番組を見るモードに移行するためのボタン、音量調整ボタンなどがある。
【００８９】
上記のガイド画面５ａは、ＴＶＡ（他の第１の電子機器）が検知され、例えば第１のサーバ４００がアクセスされた例である。しかし、例えば別のＴＶＢ（他の第２の電子機器）が検知される場合もある。この場合、必ずしも第１のサーバ４００がアクセスされるとは限らない。ＴＶＢが、第２のサーバ（図示せず）と関連付けられていた場合、携帯端末７００は、第２のサーバに自動的にログインし、アクセス処理を実行することができる。
【００９０】
図６は、携帯端末７００が通信エリア１００の圏外に移動した際のメッセージの例を示している。「ホームネットワークの通信エリアの圏外に在席します。以下の電子機器が電源オンのままです。電源オフしますか？」のメッセージ（警告）が表示される。またＴＶＡの系統図が表示される（ガイド画面６ａ）。これにより、ユーザは、携帯端末７００とネットワーク及びサーバを通じて、テレビジョン受信機ＴＶＡに電源オフ指令を送信することができる。
【００９１】
上記のように携帯端末７００は、第１通信エリア内に入ったこと、又は前記第１通信エリア外へ出たことの少なくとも一方が検知された場合に、前記第１サーバに自動的にログインすることができる。この場合、第１通信エリア内に存在する他の制御装置（例えばＴＶＡ）がサーバ４００にログインしているか否かに応じて異なる処理を実行することができる。つまり、ＴＶＡがサーバにログインしている場合は、他のユーザがＴＶＡを使用している可能性があるので、携帯端末７００は、上記したガイド画面６ａとメッセージとは異なる警告を出力することも可能である。
【００９２】
なお、この例はテレビジョン受信機ＴＶＡに関しての警告であったが、通信エリア２００内のネットワークに接続されている電子機器であって、制御管理下にある他の電子機器に関する警告も可能である。
【００９３】
例えば、エアコンディショナーやヒータの電源がオン状態、アイロンや扇風機などの電源がオン状態が警告されてもよい。
【００９４】
図７は、上記した警告は、表示されるが、通信エリアの圏内に他のユーザ（他の携帯端末）が在席する場合のメッセージの例である。この場合は、例えば「ホームネットワークの通信エリアの圏外に在席します。以下の電子機器が電源オンのままですが、エリア内に人（携帯端末Ｂ）が在席しています。不振に思われる場合、携帯端末Ｂ（０９０・・・・・）に電話確認してください。」のメッセージが表示される。またまた電源オンの電子機器の系統図が表示される。
【００９５】
図８は、サーバ４００内の一部のブロック構成を示している。サーバ４００は、インターネット３００を介して、携帯端末、テレビジョン受信機、その他の家電製品などと相互通信を行う機能を有する。携帯端末管理部４２０は、送受信機４１１を介して、各携帯端末のドレス管理、各携帯端末からの指令データの処理（転送処理、応答処理など）、を行うことができる。通信エリア圏内の電子機器管理部４３０は、送受信機４１１を介して各通信エリア内の電子機器と相互通信を行うことができる。電子機器管理部４３０は、指定した通信エリア内の指定した電子機器の電源オンオフなどの指令を行うことができる。また電子機器管理部４３０は、指定した指定した通信エリア内の指定したエアコンディショナーの出力パワー調整等の指令を行うことができる。
【００９６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【００９７】
１００・・・通信エリア、２００・・・アクセスポイント、３００・・・インターネット、４００・・・サーバ、７００・・・携帯端末、７３１・・・システム制御部、７４０・・・電子機器制御器７４０、７４１・・・エリア検知部、７４２・・・ログイン処理部、７４３・・・通知部、７４５・・・起動部、７４６・・・登録部、７４７・・・他端末検知部、７４８・・・状態管理部、７４２ａ・・・シングルログイン、７４２ｂ・・・複数ログイン。
【図１】
2016006087.tif 000003
【図２】
2016006087.tif 000004
【図３】
2016006087.tif 000005
【図４】
2016006087.tif 000006
【図５】
2016006087.tif 000007
【図６】
2016006087.tif 000008
【図７】
2016006087.tif 000009
【図８】
2016006087.tif 000010
【国際調査報告】
2016006087.tif 000011
2016006087.tif 000012
2016006087.tif 000013
2016006087.tif 000014